(57)【要約】【課題】葉菜類の播種方法と播種機、ならびに収穫方法を提供する。【解決手段】本発明による播種方法を実施する播種機は、移動可能な機枠に前ローラ５、テープローラ３、後ローラ４がこの順に配置されている。種子供給部は、前ローラ５とテープローラ３間に設けられている。テープリール２は前記テープローラ３にテープ１１を供給する。覆土手段は前記テープ１１の全部または一部を覆土する。収穫はテープ１１の引き上げにより行われる。【選択図】図１
2008022718.tif 000002
【特許請求の範囲】
【請求項１】
葉菜類の種子を畝に平行に播種する播種ステップと、
前記種子の直上にメッシュ状のテープを配置するテープ配置ステップと、
種子が出芽可能に前記テープの上の全部または一部を覆土する覆土ステップと、
から構成した葉菜類の播種方法。
【請求項２】
移動可能な機枠に設けられた前ローラ、テープローラ、後ローラがこの順に配置され、
前ローラとテープローラ間に設けられた種子供給部と、
前記テープローラにテープを供給するテープリールと、
前記テープの全部または一部を覆土する覆土手段と、
を備える葉菜類の播種機。
【請求項３】
前記種子供給部は、機枠に設けられたシードテープリールから供給されるシードテープを、機枠に設けられ前端が耕土に挿入されているシードテープノズルを介して耕土中に導き、前記シードテープ中の種子を耕土中に埋設するように構成されている請求項２記載の葉菜類の播種機。
【請求項４】
前記テープローラの外周の形状は、テープを耕土中に配置するときの形状に対応する形状となっている請求項２記載の葉菜類の播種機。
【請求項５】
葉菜類の種子を畝に平行に播種する播種ステップと、
前記種子の直上にメッシュ状のテープを配置するテープ配置ステップと、
種子が出芽可能に前記テープの上の全部または一部を覆土する覆土ステップと、
から構成した播種方法により、播種され、根部が前記テープの下側に葉茎部が前記テープの上側に成長させられた葉菜類の収穫方法において、
前記メッシュ状のテープを土壌から回収することにより葉菜類を収穫する葉菜類の収穫方法。
【発明の詳細な説明】
【技術分野】
【０００１】
本発明は、葉菜類の播種方法と播種機、ならびに収穫方法に関する。
【背景技術】
【０００２】
馬鈴薯、甘薯、落花生等の地中作物その他の作物の収穫を想定した農業機械等について、幾つかの提案がなされている。
特許文献１記載の発明は、チューリップ等の球根類の植付収穫方法に関する発明で、畦上にネットを布設し、ネットの上に球根をばらまいて覆土し、成長した球根の葉茎部を取り除いた後に、ネットを畦から取り外し、巻き取りつつネットから球根を分離収穫するものである。
特許文献２記載の発明は、ネット式栽培収穫方法に関する発明で、両面に肥料層を成層したネットを土壌に埋設し、ネットの上の土壌に作物を栽培したあと、ネットを引き上げることによって地中作物を収穫するものであり、馬鈴薯、甘薯、落花生等の地中作物の収穫を想定しているものである。
特許文献３記載の発明は、野菜等の植物の栽培法に関する発明で、たとえば砂等の培地面に種子を播いてから網をおき、あるいは網を置いてから種子を播き、その網目を通して植物を成育させ、収穫時には網を持ち上げるものである。
特許文献４記載の発明は、作物の栽培に際し、種子および新芽を保護するためにＰＶＡ系のウェッブを覆い、成育後はウェッブを裂いてその間から作物を出して成育させ、作物の収穫後はウェッブを一方向に引っ張ることによって抜根処理するものであり、作物はトウモロコシ、枝豆などを想定している。
【特許文献１】特開平５−３０４８０４号公報
【特許文献２】特開昭４８−８０３２４号公報
【特許文献３】特開昭４９−７９８２７号公報
【特許文献４】特開昭５９−１１１２７号公報
【発明の開示】
【発明が解決しようとする課題】
【０００３】
葉菜類の収穫については、従来殆どが手作業によっている。
本発明の目的は、葉菜類栽培において播種時から収穫に適した播種方法による播種機を用いて播種することにより、容易に、個別的な手作業によらずに収穫を実施することができる葉菜類の播種方法と播種機、ならびに収穫方法を提供することにある。
【課題を解決するための手段】
【０００４】
前記目的を達成するために、本発明による請求項１記載の葉菜類の播種方法は、葉菜類の種子を畝に平行に播種する播種ステップと、
前記種子の直上にメッシュ状のテープを配置するテープ配置ステップと、
種子が出芽可能に前記テープの上の全部または一部を覆土する覆土ステップと、
から構成されている。
【０００５】
本発明による請求項２記載の葉菜類の播種機は、移動可能な機枠に設けられた前ローラ、テープローラ、後ローラがこの順に配置され、前ローラとテープローラ間に設けられた種子供給部と、
前記テープローラにテープを供給するテープリールと、
前記テープの全部または一部を覆土する覆土手段と、を備えて構成されている。
本発明による請求項３記載の葉菜類の播種機は、請求項２記載の播種機において、前記種子供給部は、機枠に設けられたシードテープリールから供給されるシードテープを、機枠に設けられ前端が耕土に挿入されているシードテープノズルを介して耕土中に導き、前記シードテープ中の種子を耕土中に埋設するように構成されている。
本発明による請求項４記載の葉菜類の播種機は、請求項２記載の播種機において、前記テープローラの外周の形状は、テープを耕土中に配置するときの形状に対応する形状となっている。
【０００６】
本発明による請求項５記載の葉菜類の収穫方法は、葉菜類の種子を畝に平行に播種する播種ステップと、
前記種子の直上にメッシュ状のテープを配置するテープ配置ステップと、
種子が出芽可能に前記テープの上の全部または一部を覆土する覆土ステップと、
から構成した播種方法により、播種され、根部が前記テープの下側に葉茎部が前記テープの上側に成長させられた葉菜類の収穫方法において、
前記メッシュ状のテープを土壌から回収することにより葉菜類を収穫するように構成されている。
【発明の効果】
【０００７】
播種と同時に種子の直上にメッシュ状のテープを敷設しておき、収穫時に条毎に機械でテープを巻き取ることによって、収穫をおこなえるので、大幅な省力化が達成される。
シードテープや前記メッシュ状のテープの材料の適宜な選択により環境への負荷を軽減することができる。
例えばバイオデイグレイダブルな素材を利用し、収穫後に分解するものであれば、焼却等の処理は不要となる。
【発明を実施するための最良の形態】
【０００８】
以下図面等を参照して、本発明による葉菜類の播種方法と播種機、ならびに収穫方法の実施の形態を説明する。
なお本発明方法で播種し収穫する葉菜類としてホウレンソウ，カブ，ツケナ類（コマツナ，チンゲンサイ，春菊，ミズナ）等を例示することができる。食用に供する葉、茎の部分は後述するテープの上で生育し、根っこの部分はテープの下で生育する。図４は、本発明による収穫方法を説明するための説明図である。
図１は、本発明による播種機の実施例を示す斜視図、図２は、本発明による前記播種機の動作を説明するための説明図、図３は、播種完了状態におけるテープと種紐の耕土中の位置関係を説明するための略図である。
【０００９】
（播種方法および収穫方法の実施形態）本発明による葉菜類の播種方法、およびその方法により播種した葉菜類を収穫する方法は、次のとおりである。
まず播種ステップにより、葉菜類の種子を畝に平行に播種する。以下の実施例において、シードテープを用いて播種する例を示すが、シードテープを用いない従来の播種機を用いることもできる。
次いで、テープ配置ステップで、前述のように播種した種子の直上にメッシュ状のテープを配置する。メッシュ状のテープを用いる理由はテープより下に位置する葉菜類の種子が発芽後にテープを貫通して成長可能にするためである。
【００１０】
テープの実施例としてテープの幅が１０〜５０ｍｍ程度のものを利用する。
テープの材質としてナイロン，ビニロン，ポリエチレンテレフタレート，ポロプロピレン，ポリエチレン等のほかに、使用後の処分を容易にするため、ポリ乳酸，ポリブチレンサクシネート，ポリカプロラクトン，等の生分解性樹脂を使用することもできる。テープのメッシュの形状は、正方形（菱形）もしくは六角形等の任意の形状のもので平均径が３〜１０ｍｍ程度のものを利用できる。
なおテープの構造は、良好な作業性を確保するために、長さ方向の伸びを少なくする一方、作物の成長を阻害しないようにするために幅方向の伸び率が大きくなることが好ましい。
【００１１】
テープに必要な条件は、播種後に芽がテープの面を貫通して成長し、食用に供する葉茎の部分に成長できるとともに、根の部分がテープの下で成長し、収穫の際にテープを機械的に引き上げると、図４に示すように葉菜類とともに引き上げることができ、引き上げの後に葉菜類と分離できることである。
覆土ステップで種子が出芽可能に前記テープの上の全部または一部を覆土することにより播種を完了する。
【００１２】
前述の方法で播種した葉菜類が成長し、収穫するには、図４に示すように、図示しない収穫装置等に搭載された収穫用のリール１５にテープ１１の一端を固定して巻き上げる。これによりテープ１１と収穫すべき作物が一緒に引き上げられ、作業者が作物とテープ１１を適宜分離する。
【００１３】
（播種装置の実施例）前述した播種を実施する播種装置を図１を参照して説明する。
手押しまたは原動機を用いて移動可能な機枠に前ローラ５、テープローラ３、後ローラ４がこの順に配置されている。
耕土に対して種子を供給する種子供給部は、前ローラ５とテープローラ３間に設けられている。
前記種子供給部は、機枠に設けられたシードテープリール６から供給されるシードテープ１０を、機枠に設けられ先端が耕土に挿入されているシードテープノズル１を介して耕土中に導き、シードテープ１０中の種子を耕土中に埋設するように構成されている。
【００１４】
テープリール２からテープローラ３にテープ１１が供給される。
テープローラ３の外周の形状は、テープ１１を耕土中に配置するときの形状に対応する形状となっている。テープローラ３によりテープ１１が成形（例えは平坦，上に凸など）されて耕土内に押し込まれる。
次に、続いて、覆土手段により、テープの全部または一部に覆土がなされる。覆土手段は板状の馴らし板９により行われる。
【００１５】
図２は、シードテープ（種紐）１０を用いた場合の播種の進行過程を示す略図である。
（Ａ）前ローラ５で耕地が馴らされる状態を示す。
（Ｂ）ノズル１によりシードテープ１０が耕土内に案内された状態を示す。
（Ｃ）播種部畝ガイドを形成する角の馴らし板８により覆土が行われている状態を示す。
（Ｄ）テープローラ３によりテープ１１を丸屋根に形成してテープの敷設を行う。
（Ｅ）馴らし板９でテープ１１が覆土される状態を示している。
（Ｆ）覆土された後に後ローラ４により鎮圧される。
【００１６】
図３は、播種完了状態におけるテープと種紐の耕土中の位置関係を説明するための略図である。図３の（ア）に示す状態は、外周が円筒状のテープローラ３でテープ１１が耕土に押し込まれて覆土された状態を示している。
同図（イ）は、テープローラ３の外周の円筒状の表面の中心部に環状の丸溝が設けられており、この形状によりテープ１１が耕土に鎮圧挿入され、テープ１１の上に覆土したものである。
同図（ウ）は、テープローラ３の外周の円筒状の表面の中心部に環状のＶ溝が設けられており、この形状により耕土に鎮圧挿入されたテープ１１の上に覆土したものである。
同図（エ）は、（イ）の場合よりは、幅の広いテープ１１を用いたものである。テープローラ３の外周の円筒状の表面に設けられた半円形の環状の丸溝も大きなものとなっている。テープ１１の全部が覆土されずに、一部が耕土表面に露出させてなる。
発芽し耕土表面に達した芽はテープ１１を貫通して成長する。
【００１７】
葉菜類の収穫は前記メッシュ状のテープ１１を土壌から回収することにより行われることについては、図４を参照してすでに説明した。
【００１８】
以上詳しく説明した実施形態について、本発明の範囲内で種々の変形を施すことができる。播種部分については、シードテープ（種紐）の例を示したが、シードテープ埋設方式のほかに、回転ロール式、ベルト式、真空吸着式等のあらゆる方式に適用できる。
【産業上の利用可能性】
【００１９】
本発明による葉菜類の播種方法と播種機、ならびに収穫方法は、農業の分野の能率化に寄与できる。
【図面の簡単な説明】
【００２０】
【図１】本発明による播種機の実施例を示す斜視図である。
【図２】本発明による前記播種機の動作を説明するための説明図である。
【図３】播種完了状態におけるテープと種紐の耕土中の位置関係を説明するための略図である。
【図４】本発明による収穫方法を説明するための説明図である。
【符号の説明】
【００２１】
１  播種位置に配置されたシードテープノズル
２  テープリール
３  テープローラ
４  後ローラ
５  前ローラ
６  シードテープリール
７  ハンドル
８  角の馴らし板
９  馴らし板
１０  シードテープ
１１  テープ（収穫用）
１５  リール（収穫用）
【図１】
2008022718.tif 000003
【図２】
2008022718.tif 000004
【図３】
2008022718.tif 000005
【図４】
2008022718.tif 000006